(57)【要約】【課題】スピーカユニットに小さい信号が入力された場合に出力される音が小さくなるのを抑制することが可能なスピーカ装置を提供する。【解決手段】このスピーカ（スピーカ装置）１００は、スピーカボックス１と、スピーカボックス１に取り付けられたスピーカ２と、スピーカボックス１に取り付けられ、コイル３１および磁石３２を有するパッシブラジエータ３と、パッシブラジエータ３のコイル３１に接続され、入力された音声信号の大きさが所定のしきい値よりも大きくなった場合に、パッシブラジエータ３のコイル３１に電流を流すためのコイル電流制御回路４とを備える。【選択図】図１
2009152769.tif 000002
【特許請求の範囲】
【請求項１】
筐体と、
前記筐体に取り付けられたスピーカユニットと、
前記筐体に取り付けられ、コイルおよび磁石を有するパッシブラジエータユニットと、
前記パッシブラジエータユニットのコイルに接続され、入力された音声信号の大きさが所定のしきい値よりも大きくなった場合に、前記パッシブラジエータユニットのコイルに電流を流すためのコイル電流制御回路とを備える、スピーカ装置。
【請求項２】
前記コイル電流制御回路は、前記パッシブラジエータユニットのコイルに流す電流を変化させるための電流値制御回路を含み、
前記電流値制御回路は、前記コイル電流制御回路に入力された音声信号の大きさが所定のしきい値よりも増加した場合に、入力された音声信号の増加に応じて前記パッシブラジエータユニットのコイルに入力される電流が増加するように構成されている、請求項１に記載のスピーカ装置。
【請求項３】
前記電流値制御回路は、少なくとも電界効果型トランジスタを含み、
前記電流値制御回路は、前記コイル電流制御回路に入力された音声信号の大きさが所定のしきい値よりも増加した場合に、前記電界効果型トランジスタのゲートに入力された電圧の増加に応じてソースとドレインとの間に流れる電流を増加させることにより、前記パッシブラジエータユニットのコイルに流れる電流を増加させるように構成されている、請求項２に記載のスピーカ装置。
【請求項４】
前記コイル電流制御回路は、電圧変換回路をさらに含み、
前記電圧変換回路は、前記電流値制御回路に接続されるとともに、前記電圧変換回路に入力された音声信号が所定のしきい値以上に増加した場合に、前記電流値制御回路の電界効果型トランジスタのゲートに、前記電界効果型トランジスタのゲートに入力された電圧の増加に応じてソースとドレインとの間に流れる電流を増加させるような直流電圧を供給するように構成されている、請求項３に記載のスピーカ装置。
【請求項５】
前記電圧変換回路と接続されるしきい値調整部をさらに備え、
前記電圧変換回路で設定されている所定のしきい値は、ユーザが前記しきい値調整部を操作することにより所定のしきい値を変化可能なように構成されている、請求項４に記載のスピーカ装置。
【発明の詳細な説明】
【技術分野】
【０００１】
この発明は、スピーカ装置に関し、特に、スピーカユニットを備えたスピーカ装置に関する。
【背景技術】
【０００２】
従来、スピーカユニットを備えたスピーカ装置が知られている（たとえば、特許文献１、２および非特許文献１参照）。
【０００３】
上記特許文献１には、密閉されたスピーカボックスと、スピーカボックスに取り付けられたスピーカユニットおよびパッシブラジエータユニットと、パッシブラジエータユニットに設けられたコイルに接続されたチョークコイルとを備えたスピーカ装置が開示されている。このスピーカ装置は、スピーカユニットの振動に伴ったパッシブラジエータユニットの振動により、チョークコイルに発生する電磁力によりパッシブラジエータユニットの振動が制動されるように構成されている。
【０００４】
また、上記特許文献２には、２つのコイルが設けられたスピーカユニットと、２つのコイルに流れる電流の方向を切り替えるためのスイッチとを備えた音響装置（スピーカ装置）が開示されている。この音響装置は、スピーカユニットに入力された音声信号の大きさが所定のしきい値よりも大きくなった場合に、スイッチの切り替えによりスピーカユニットの振動が制動されるように構成されている。
【０００５】
また、上記非特許文献１には、ボイスコイルおよびマグネットが設けられたパッシブラジエータユニットと、パッシブラジエータユニットの振動の制動力を調整するためのショートピンとを備えたスピーカが開示されている。このスピーカは、ユーザがパッシブラジエータユニットにショートピンを取り付けることにより、パッシブラジエータユニットの振動が制動されるように構成されている。
【０００６】
【特許文献１】特許第３６５３８７０号公報
【特許文献２】特開２００５−３２３０２６号公報
【非特許文献１】有限会社スキャンテック販売の紹介欄に掲載、“Ａｕｄｉｏ  Ｐｈｙｓｉｃ社  ＢＲＩＬＯＮ２”、［ｏｎｌｉｎｅ］、［平成１９年１０月１８日検索］、インターネット＜ＵＲＬ:ｈｔｔｐ：／／ｗｗｗ．ｓｃａｎｔｅｃｈ．ｃｏ．ｊｐ／ａ＿ｐｈｙｓｉｃ＿ｂｒｉｌｏｎ．ｈｔｍｌ＞
【発明の開示】
【発明が解決しようとする課題】
【０００７】
しかしながら、上記特許文献１に記載のスピーカ装置では、スピーカユニットが振動している際は、常にパッシブラジエータユニットのコイルに電流が流れ、パッシブラジエータユニットの振動が制動されている。このため、スピーカユニットに小さい信号が入力された場合でもパッシブラジエータユニットの振動が制動されるので、出力される音が小さくなるという問題点があると考えられる。
【０００８】
また、上記特許文献２に記載の音響装置では、スピーカユニットが振動している際は、常に２つのコイルに電流が流れ、スピーカユニットの振動が制動されている。このため、スピーカユニットに小さい信号が入力された場合でもスピーカユニットの振動が制動されるので、出力される音が小さくなるという問題点があると考えられる。
【０００９】
また、上記非特許文献１に記載のスピーカでは、パッシブラジエータユニットの振動を制動するために、ユーザがパッシブラジエータユニットにショートピンを取り付けなければならないという不都合がある。また、ショートピンを取り付けた状態においては、スピーカに小さい信号が入力された場合でもパッシブラジエータユニットの振動が制動されるため、パッシブラジエータユニットから出力される音が小さくなってしまうという問題点があると考えられる。
【００１０】
この発明は、上記のような課題を解決するためになされたものであり、この発明の１つの目的は、スピーカユニットに小さい信号が入力された場合に出力される音が小さくなるのを抑制することが可能なスピーカ装置を提供することである。
【課題を解決するための手段および発明の効果】
【００１１】
この発明の一の局面によるスピーカ装置は、筐体と、筐体に取り付けられたスピーカユニットと、筐体に取り付けられ、コイルおよび磁石を有するパッシブラジエータユニットと、パッシブラジエータユニットのコイルに接続され、入力された音声信号の大きさが所定のしきい値よりも大きくなった場合に、パッシブラジエータユニットのコイルに電流を流すためのコイル電流制御回路とを備える。
【００１２】
この一の局面によるスピーカ装置では、上記のように、入力された音声信号の大きさが所定のしきい値よりも大きくなった場合に、パッシブラジエータユニットのコイルに電流を流すためのコイル電流制御回路を備えることによって、入力された音声信号の大きさが所定のしきい値よりも小さい場合は、パッシブラジエータユニットのコイルに電流が流れにくいため、パッシブラジエータユニットの振動が制動されにくい。これにより、パッシブラジエータユニットに小さい信号が入力された場合でも出力される音が小さくなるのを抑制することができる。また、入力された音声信号の大きさが所定のしきい値よりも大きい場合は、パッシブラジエータユニットのコイルに大きな電流が流れるため、パッシブラジエータユニットが機械的な振幅限界を超えて振動してしまうのを抑制することができる。これにより、パッシブラジエータユニットが過大に振動することにより破損することを抑制することができる。
【００１３】
上記一の局面によるスピーカ装置において、好ましくは、コイル電流制御回路は、パッシブラジエータユニットのコイルに流す電流を変化させるための電流値制御回路を含み、電流値制御回路は、コイル電流制御回路に入力された音声信号が所定のしきい値よりも増加した場合に、入力された音声信号の増加に応じてパッシブラジエータユニットのコイルに入力される電流が増加するように構成されている。このように構成すれば、入力された音声信号の増加に応じてパッシブラジエータユニットの振動に対する制動力が増加する。また、過大な音声信号が入力された場合には、パッシブラジエータユニットの振動が大幅に制動されるため、パッシブラジエータユニットが機械的な振幅限界を超えて振動してしまうのを抑制することができる。これにより、パッシブラジエータユニットが過大に振動することにより破損することを抑制することができる。
【００１４】
この場合において、好ましくは、電流値制御回路は、少なくとも電界効果型トランジスタを含み、電流値制御回路は、コイル電流制御回路に入力された音声信号が所定のしきい値よりも増加した場合に、電界効果型トランジスタのゲートに入力された電圧の増加に応じてソースとドレインとの間に流れる電流を増加させることにより、パッシブラジエータユニットのコイルに流れる電流を増加させるように構成されている。このように構成すれば、電流値制御回路に電界効果型トランジスタを設けることによって、容易に、入力された音声信号に対応した電流をパッシブラジエータユニットのコイルに流すことができる。これにより、入力された音声信号に対応した制動力を発生させることができるので、パッシブラジエータユニットの振動を制動することができる。
【００１５】
上記電流値制御回路を含むスピーカ装置において、好ましくは、コイル電流制御回路は、電圧変換回路をさらに含み、電圧変換回路は、電流値制御回路に接続されるとともに、電圧変換回路に入力された音声信号が所定のしきい値以上に増加した場合に、電流値制御回路の電界効果型トランジスタのゲートに、電界効果型トランジスタのゲートに入力された電圧の増加に応じてソースとドレインとの間に流れる電流を増加させるような直流電圧を供給するように構成されている。このように構成すれば、入力された音声信号の大きさに対応したしきい値を設定することができる。これにより、音声信号の大きさに対応した制動力を設定することができるので、パッシブラジエータユニットの音質を調整することができる。
【００１６】
この場合において、好ましくは、電圧変換回路と接続されるしきい値調整部をさらに備え、電圧変換回路で設定されている所定のしきい値は、ユーザがしきい値調整部を操作することにより所定のしきい値を変化可能なように構成されている。このように構成すれば、ユーザの操作によりパッシブラジエータユニットの振動が制動される音声信号の大きさを変化させることができる。これにより、容易に、ユーザがパッシブラジエータユニットの音質を調整することができる。
【発明を実施するための最良の形態】
【００１７】
以下、本発明を具体化した実施形態を図面に基づいて説明する。
【００１８】
図１は、本発明の一実施形態によるスピーカを示した全体構成図である。また、図２〜図５は、図１に示した本発明の一実施形態によるスピーカの詳細な構造を示した図である。まず、図１〜図３を参照して、本発明の一実施形態によるスピーカ１００の構成について説明する。なお、本実施形態では、スピーカ装置の一例であるパッシブラジエータ型のスピーカ１００に本発明を適用した場合について説明する。
【００１９】
本発明の一実施形態によるパッシブラジエータ型のスピーカ１００は、図１に示すように、樹脂製のスピーカボックス１と、スピーカ２と、パッシブラジエータ３と、コイル電流制御回路４と、しきい値調整部５と、入出力端子６とから構成されている。なお、スピーカボックス１は、本発明の「筐体」の一例であり、スピーカ２は、本発明の「スピーカユニット」の一例であり、パッシブラジエータ３は、本発明の「パッシブラジエータユニット」の一例である。
【００２０】
スピーカボックス１は、図１に示すように、箱状に形成されており、内部は密閉されている。また、スピーカ２およびパッシブラジエータ３は、スピーカボックス１の内側から外側に向かって取り付けられるとともに、パッシブラジエータ３は、スピーカ２の下方に配置されている。また、パッシブラジエータ３は、コイル３１および磁石３２を有している。具体的には、パッシブラジエータ３の後部には、コイル３１が巻かれている。このコイル３１の外周には、磁石３２が配置されている。
【００２１】
また、パッシブラジエータ３のコイル３１は、図１に示すように、コイル電流制御回路４と直列接続されている。このコイル電流制御回路４は、しきい値調整部５と直列接続されている。このしきい値調整部５は、スピーカボックス１の外側に配置されている。また、入出力端子６は、スピーカ２およびコイル電流制御回路４と接続され、音声信号などが入出力されるように構成されている。
【００２２】
ここで、本実施形態では、入出力端子６からコイル電流制御回路４に入力された音声信号の大きさが、コイル電流制御回路４であらかじめ設定されたしきい値よりも大きくなった場合に、入力された音声信号の大きさに応じた電流がパッシブラジエータ３のコイル３１に流れるように構成されている。また、パッシブラジエータ３のコイル３１と磁石３２との間には、コイル３１に流れた電流と磁石３２の磁力との相互作用により電磁力が発生するように構成されている。この電磁力は、コイル３１に流れる電流が大きくなるほど強力に作用し、コイル３１に流れる電流が小さくなるほど小さく作用するように構成されている。この電磁力が作用することにより、パッシブラジエータ３の振動が制動（電磁制動）されるように構成されている。
【００２３】
また、コイル電流制御回路４は、図２に示すように、ＬＰＦ回路（ローパスフィルタ回路）（図示せず）またはＢＰＦ回路（バンドパスフィルタ回路）（図示せず）からなるフィルタ回路４１と、検波整流回路４２と、電圧変換回路４３と、ＤＣ増幅器４４と、パッシブラジエータ３のコイル３１に流す電流を変化させるための電流値制御回路４５とから構成されている。
【００２４】
また、本実施形態では、入出力端子６からコイル電流制御回路４の電流値制御回路４５に入力された音声信号の大きさが、コイル電流制御回路４であらかじめ設定されたしきい値よりも増加した場合に、入力された音声信号の増加に応じてパッシブラジエータ３のコイル３１に入力される電流が増加するように構成されている。
【００２５】
また、入出力端子６（図１参照）は、図２に示すように、フィルタ回路４１と直列接続されている。また、フィルタ回路４１は、検波整流回路４２と直列接続されている。また、検波整流回路４２は、電圧変換回路４３と直列接続されている。また、電圧変換回路４３は、ＤＣ増幅器４４と直列接続されるとともに、しきい値調整部５と直列接続されている。また、ＤＣ増幅器４４は、電流値制御回路４５と直列接続されている。また、電流値制御回路４５は、パッシブラジエータ３のコイル３１に接続されている。
【００２６】
また、フィルタ回路４１は、パワーアンプ（図示せず）より入力された信号の所定の周波数帯域の信号を検出するために設けられている。具体的には、フィルタ回路４１がＬＰＦ回路（図示せず）により構成される場合には、入力された信号の低周波数帯域の信号が検出される。また、フィルタ回路４１がＢＰＦ回路（図示せず）により構成される場合には、入力された信号の所定の周波数帯域の信号が検出される。また、検波整流回路４２は、入力された信号を検波および整流するために設けられている。
【００２７】
また、電圧変換回路４３は、抵抗（図示せず）やバイポーラトランジスタ（図示せず）などからなるアナログ回路により構成されることにより、音声信号の大きさに対応するしきい値および動作パラメータが設定される。また、電圧変換回路４３は、検波整流回路４２から入力された信号を直流電圧に変換して出力されるように構成されている。また、スピーカボックス１の側面に設けられたしきい値調整部５をユーザが操作することにより、電圧変換回路４３であらかじめ設定されている動作パラメータが変化されるとともに、しきい値が変化されるように構成されている。また、ＤＣ増幅器４４は、ＤＣ増幅器４４が電流値制御回路４５に出力する直流電圧を増幅させるために設けられている。
【００２８】
また、電流値制御回路４５は、図３に示すように、電流値制御回路４５は、電界効果型トランジスタ４５ａと、抵抗４５ｂとから構成されている。また、電界効果型トランジスタ４５ａのゲート（Ｇ）は、ＤＣ増幅器４４と直列接続されている。また、電界効果型トランジスタ４５ａのゲート（Ｇ）は、抵抗４５ｂの一方端と直列接続されている。この抵抗４５ｂの他方端は、接地されている。また、電界効果型トランジスタ４５ａのドレイン（Ｄ）は、パッシブラジエータ３のコイル３１の一方端と接続されている。また、電界効果型トランジスタ４５ａのソース（Ｓ）は接地されている。また、パッシブラジエータ３のコイル３１の他方端は接地されている。
【００２９】
また、本実施形態では、電流値制御回路４５は、コイル電流制御回路４に入力された音声信号の大きさが所定のしきい値よりも増加した場合に、電界効果型トランジスタ４５ａのゲート（Ｇ）に入力された電圧の増加に応じてソース（Ｓ）とドレイン（Ｄ）との間に流れる電流を増加させることにより、パッシブラジエータ３のコイル３１に流れる電流を増加させるように構成されている。また、電圧変換回路４３は、電圧変換回路４３に入力された音声信号が所定のしきい値以上に増加した場合に、電流値制御回路４５の電界効果型トランジスタ４５ａのゲート（Ｇ）に入力された電圧の増加に応じてソース（Ｓ）とドレイン（Ｄ）との間に流れる電流を増加させるような直流電圧を供給されるように構成されている。
【００３０】
次に、図１〜図５を参照して、本発明の一実施形態によるスピーカ１００の動作について説明する。
【００３１】
まず、図１〜図３に示すように、入出力端子６から入力された音声信号は、スピーカ２およびコイル電流制御回路４のフィルタ回路４１に入力される。フィルタ回路４１で検出された音声信号は、検波整流回路４２に出力される。検波整流回路４２で検波整流された信号は、電圧変換回路４３に出力される。
【００３２】
また、本実施形態では、電圧変換回路４３に入力された音声信号は、電圧変換回路４３で音声信号の大きさに対応した直流電圧に変換され、ＤＣ増幅器４４に出力される。ＤＣ増幅器４４で増幅される直流電圧は、一方は電流値制御回路４５の電界効果型トランジスタ４５ａのゲート（Ｇ）に入力され、他方は抵抗４５ｂに流れアースされる。また、入力端子６から入力される音声信号が増加された際は、電界効果型トランジスタ４５ａのゲート（Ｇ）に入力される直流電圧が増加され、電界効果型トランジスタ４５ａのソース（Ｓ）と、ドレイン（Ｄ）との間に流れる電流が増加される。また、電界効果型トランジスタ４５ａのドレイン（Ｄ）から出力される電流も増加し、パッシブラジエータ３のコイル３１に流れる電流も増加される。また、パッシブラジエータ３は、コイル３１に流れる電流の大きさに応じた電磁力により電磁制動される。また、コイル３１に流れた電流はアースされる。
【００３３】
また、図４に示すように、電流値制御回路４５の電界効果型トランジスタ４５ａが、コイル電流制御回路４の電圧変換回路４３に入力された音声信号が所定のしきい値（点Ａ）よりも増加した場合に、電界効果型トランジスタ４５ａのゲート（Ｇ）に入力される電圧（音声信号）の増加に応じて、電界効果型トランジスタ４５ａのソース（Ｓ）と、ドレイン（Ｄ）との間のインピーダンスが小さくなる。具体的には、コイル電流制御回路４に入力される音声信号の大きさがしきい値（点Ａ）以下の場合には、電界効果型トランジスタ４５ａのソース（Ｓ）と、ドレイン（Ｄ）との間のインピーダンスはほぼ無限大である。また、コイル電流制御回路４の電圧変換回路４３に入力された音声信号の大きさがしきい値（点Ａ）以上の場合には、電界効果型トランジスタ４５ａのソース（Ｓ）と、ドレイン（Ｄ）との間のインピーダンスは、音声信号の大きさが増加するのに伴って減少される。
【００３４】
また、図５に示すように、電流値制御回路４５の電界効果型トランジスタ４５ａが、コイル電流制御回路４の電圧変換回路４３に入力される音声信号が所定のしきい値よりも増加した場合に、電界効果型トランジスタ４５ａのゲート（Ｇ）に入力される電圧（音声信号）の増加に応じて、電界効果型トランジスタ４５ａのソース（Ｓ）と、ドレイン（Ｄ）との間に流れる電流が増加する。具体的には、コイル電流制御回路４に入力される音声信号の大きさがしきい値（点Ｂ）以下の場合には、電界効果型トランジスタ４５ａのソース（Ｓ）と、ドレイン（Ｄ）との間にはきわめて微小な電流しか流れないため、パッシブラジエータ３にはほとんど電磁制動が実質的に働かない。また、コイル電流制御回路４の電圧変換回路４３に入力される音声信号の大きさがしきい値（点Ｂ）以上の場合には、電界効果型トランジスタ４５ａのソース（Ｓ）と、ドレイン（Ｄ）との間に流れる電流は、音声信号の大きさが増加するのに伴って増加されるため、パッシブラジエータ３には強力に電磁制動が働く。
【００３５】
本実施形態では、上記のように、入力された音声信号の大きさが所定のしきい値よりも大きくなった場合に、パッシブラジエータ３のコイル３１に電流を流すためのコイル電流制御回路４を備えることによって、入力された音声信号の大きさが所定のしきい値よりも小さい場合は、パッシブラジエータ３のコイル３１に電流が流れにくいため、パッシブラジエータ３の振動が制動されにくい。これにより、パッシブラジエータ３に小さい信号が入力された場合でも出力される音が小さくなるのを抑制することができる。また、入力された音声信号の大きさが所定のしきい値よりも大きい場合は、パッシブラジエータ３のコイル３１に大きな電流が流れるため、パッシブラジエータ３の振動が制動される。これにより、パッシブラジエータ３が機械的な振幅限界を超えて振動してしまうのを抑制することができる。これにより、パッシブラジエータ３が過大に振動することにより破損することを抑制することができる。
【００３６】
また、本実施形態では、上記のように、電流値制御回路４５を、コイル電流制御回路４に入力された音声信号が所定のしきい値よりも増加した場合に、入力された音声信号の増加に応じてパッシブラジエータ３のコイル３１に入力される電流が増加するように構成することによって、入力された音声信号の増加に応じてパッシブラジエータ３の振動に対する制動力が増加する。また、過大な音声信号が入力された場合には、パッシブラジエータ３の振動が強力に制動されるため、パッシブラジエータ３が機械的な振幅限界を超えて振動してしまうのを抑制することができる。これにより、パッシブラジエータ３が過大に振動することにより破損することを抑制することができる。
【００３７】
また、本実施形態では、上記のように、電流値制御回路４５を、コイル電流制御回路４に入力された音声信号が所定のしきい値よりも増加した場合に、電界効果型トランジスタ４５ａのゲート（Ｇ）に入力された電圧の増加に応じてソース（Ｓ）とドレイン（Ｄ）との間に流れる電流を増加させることにより、パッシブラジエータ３のコイル３１に流れる電流を増加させるように構成することによって、電流値制御回路４５に電界効果型トランジスタ４５ａを設けることによって、容易に、入力された音声信号に対応した電流をパッシブラジエータ３のコイル３１に流すことができる。これにより、入力された音声信号に対応した制動力により、パッシブラジエータ３の振動を制動することができる。
【００３８】
また、本実施形態では、上記のように、電圧変換回路４３を、電流値制御回路４５に接続するとともに、電圧変換回路４３に入力された音声信号が所定のしきい値以上に増加した場合に、電流値制御回路４５の電界効果型トランジスタ４５ａのゲート（Ｇ）に、電界効果型トランジスタ４５ａのゲート（Ｇ）に入力された電圧の増加に応じてソース（Ｓ）とドレイン（Ｄ）との間に流れる電流を増加させるような直流電圧を供給するように構成することによって、入力された音声信号の大きさに対応したしきい値を設定することができる。これにより、音声信号の大きさに対応した制動力を設定することができるので、パッシブラジエータ３の音質を調整することができる。
【００３９】
また、本実施形態では、上記のように、電圧変換回路４３で設定している所定のしきい値を、ユーザがしきい値調整部５を操作することにより所定のしきい値を変化可能なように構成することによって、ユーザの操作によりパッシブラジエータ３の振動が制動される音声信号の大きさを変化させることができる。これにより、容易に、ユーザがパッシブラジエータ３の音質を調整することができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、本発明によるスピーカ装置の一例としてパッシブラジエータ型のスピーカを示したが、本発明はこれに限らず、パッシブラジエータ型以外のスピーカにも適用可能である。
【００４２】
また、上記実施形態では、本発明による電流値制御回路を、電界効果型トランジスタにより構成する例を示したが、本発明はこれに限らず、所定のしきい値以下では、パッシブラジエータのコイルに流れる電流が制限される機能を有する素子または回路であればよく、たとえば、バイポーラトランジスタなどにより構成してもよい。また、電流値制御回路をバイポーラトランジスタにより構成する際は、所定のしきい値以下では電圧変換回路から電流値制御回路に電流が流れないように構成するのが望ましい。
【００４３】
また、上記実施形態では、コイル電流制御回路にＤＣ増幅器を設ける例を示したが、必要に応じて、ＤＣ増幅器を設けなくてもよい。
【００４４】
また、上記実施形態では、電圧変換回路とＤＣ増幅器とを別構成により接続する例を示したが、本発明はこれに限らず、電圧変換回路内にＤＣ増幅器を含める構成にしてもよい。
【００４５】
また、上記実施形態では、電圧変換回路は、電圧変換回路に入力された音声信号がしきい値以下の場合でも電界効果型トランジスタに直流電圧が供給される例を示したが、本発明はこれに限らず、電圧変換回路に入力された音声信号が所定のしきい値以下の場合には、電界効果型トランジスタに直流電圧が供給されないように構成してもよい。
【００４６】
また、上記実施形態では、電圧変換回路は、電圧変換回路に入力された音声信号の大きさにかかわらず直流電圧に変換して出力する例を示したが、本発明はこれに限らず、電圧変換回路に入力された音声信号の大きさが所定のしきい値に達した際に、音声信号を直流電圧に変換して出力してもよい。
【００４７】
また、上記実施形態では、図４および図５に示すように、点Ａおよび点Ｂにおいて、パッシブラジエータの振動の制動が開始される例を示したが、本発明はこれに限らず、ユーザがしきい値調整部を操作することにより、図６および図７に示すように、音声信号レベルが本実施形態よりも小さい点Ｃおよび点Ｄにおいて、パッシブラジエータの振動の制動が開始されてもよい。
【００４８】
また、上記実施形態では、本発明の電圧変換回路を、抵抗やバイポーラトランジスタなどのアナログ回路により構成する例を示したが、本発明はこれに限らず、デジタル回路により構成してもよい。
【図面の簡単な説明】
【００４９】
【図１】本発明の一実施形態によるスピーカの全体構成を示す図である。
【図２】本発明の一実施形態によるスピーカの全体構成を示すブロック図である。
【図３】本発明の一実施形態によるスピーカの電流値制御回路の回路構成図である。
【図４】本発明の一実施形態によるスピーカの音声信号レベルに対する電界効果型トランジスタのインピーダンスの変化を示す特性曲線図である。
【図５】本発明の一実施形態によるスピーカの音声信号レベルに対する電界効果型トランジスタの出力電流の変化を示す特性曲線図である。
【図６】本発明の一実施形態によるスピーカによる変形例を説明するための特性曲線図である。
【図７】本発明の一実施形態によるスピーカによる変形例を説明するための特性曲線図である。
【符号の説明】
【００５０】
１      スピーカボックス（筐体）
２      スピーカ（スピーカユニット）
３      パッシブラジエータ（パッシブラジエータユニット）
４      コイル電流制御回路
５      しきい値調整部
３１    コイル
３２    磁石
４３    電圧変換回路
４５    電流値制御回路
４５ａ  電界効果型トランジスタ
１００  スピーカ（スピーカ装置）
【図１】
2009152769.tif 000003
【図２】
2009152769.tif 000004
【図３】
2009152769.tif 000005
【図４】
2009152769.tif 000006
【図５】
2009152769.tif 000007
【図６】
2009152769.tif 000008
【図７】
2009152769.tif 000009